(57)【要約】      （修正有）【課題】計測作業を容易にし、より正確な計測結果を得ることができる巻尺を提供する。【解決手段】長さ目盛が付された帯状体としての計測テープ１３と、帯状体を筐体１１から繰り出す又は引き込む駆動手段と、筐体１１から帯状体を繰り出した長さを計測値として計測する計測手段と、計測値を記憶する記憶手段と、記憶手段が記憶した計測値に基づき演算をし、演算値を算出する演算手段と、計測値、記憶手段が記憶する記憶値及び演算値の少なくともいずれかを表示する液晶表示手段１４とを備える。【選択図】図１
0003194702.tif 000002
【実用新案登録請求の範囲】
【請求項１】
長さ目盛が付された帯状体と、
前記帯状体を筐体から繰り出す又は引き込む駆動手段と、
前記筐体から前記帯状体を繰り出した長さを計測値として計測する計測手段と、
前記計測値を記憶する記憶手段と、
前記記憶手段が記憶した前記計測値に基づき演算をし、演算値を算出する演算手段と、
前記計測値、前記記憶手段が記憶する記憶値及び前記演算値の少なくともいずれかを表示する表示手段と、
を備えることを特徴とする巻尺。
【請求項２】
表示手段が、液晶表示装置である請求項１に記載の巻尺。
【請求項３】
筐体に固定され、帯状体を繰り出す方向に光を照射可能な照明手段を備える請求項１から２のいずれかに記載の巻尺。
【請求項４】
水準器を備える請求項１から３のいずれかに記載の巻尺。
【請求項５】
駆動手段が、帯状体を筐体から繰り出す長さの設定値が入力される入力部を有し、
前記入力部に入力された前記設定値に応じて、前記帯状体を前記筐体から繰出可能である請求項１から４のいずれかに記載の巻尺。
【考案の詳細な説明】
【技術分野】
【０００１】
本考案は、計測作業を容易にする巻尺に関する。
【背景技術】
【０００２】
巻尺は、従来から長さを計測する際に広く使用されている。その巻尺を用いて長さを計測する場合、リールに巻かれた計測テープを筐体から繰り出して、計測テープに付された長さ目盛を読み取る必要がある。このため、リールの回転量に基づいて巻尺から繰り出している分の計測テープの長さを求め、その長さを計測値として数値表示する機能を持たせて計測作業を容易にする巻尺が既に知られている。
例えば、リールの回転量を光−電気変換素子等によりパルス信号に変換してパルス数のカウント値を求め、そのカウント値に基づいて計測テープの長さを算出して計測値の数値を表示する巻尺が提案されている（特許文献１参照）。
しかしながら、この提案の技術は、計測値を数値表示することにより計測作業を容易にすることが可能であるが、連続して計測する場合においては、計測値を使用者がメモ等に記載する作業により計測自体の作業が中断されて遅くなるため、その効果が十分ではなく、更には記載の間違い等で正確な計測値を得ることができないおそれがあるのが現状である。
【先行技術文献】
【特許文献】
【０００３】
【特許文献１】実用新案登録第３１０４３２３号公報
【考案の概要】
【考案が解決しようとする課題】
【０００４】
本考案は、従来における前記諸問題を解決し、以下の目的を達成することを課題とする。即ち、本考案は、計測作業を容易にし、より正確な計測結果を得ることができる巻尺を提供することを目的とする。
【課題を解決するための手段】
【０００５】
前記課題を解決するための手段としての本考案の巻尺は、長さ目盛が付された帯状体と、前記帯状体を筐体から繰り出す又は引き込む駆動手段と、前記筐体から前記帯状体を繰り出した長さを計測値として計測する計測手段と、前記計測値を記憶する記憶手段と、前記記憶手段が記憶した前記計測値に基づき演算をし、演算値を算出する演算手段と、前記計測値、前記記憶手段が記憶する記憶値及び前記演算値の少なくともいずれかを表示する表示手段とを備える。
【考案の効果】
【０００６】
本考案によると、従来における前記諸問題を解決することができ、計測作業を容易にし、より正確な計測結果を得ることができる巻尺を提供することができる。
【図面の簡単な説明】
【０００７】
【図１】図１は、本考案の巻尺の一例を示す概略正面図である。
【図２】図２は、図１に示した巻尺の内部構成を示す概略正面図である。
【図３】図３は、本考案の巻尺の構成を示すブロック図である。
【図４】図４は、本考案の巻尺の他の一例を示す概略上面図である。
【考案を実施するための形態】
【０００８】
以下、図面を参照して本考案による巻尺の実施例を説明する。
（実施例）
図１は、本考案の巻尺の一例を示す概略正面図である。
図１に示す巻尺１０は、筐体１１と、スイッチ１２と、帯状体としての計測テープ１３と、表示手段としての液晶表示手段１４と、入力部としての数値キー１５と、演算キー１６と、記憶キー１７と、電源ボタン１８と、ＬＥＤ照明ボタン１９と、照明手段としてのＬＥＤ照明２０と、水準器モードボタン２１とを備えている。この巻尺１０は、スイッチ１２が押下されることにより後述するモータ２２ａが計測テープ１３を筐体１１から繰り出し又は引き込むことにより、長さを計測する電動巻尺である。また、この巻尺１０は、筐体１１から繰り出している分の計測テープ１３の長さを計測値として記憶し、この記憶した計測値に基づいて演算を行うことができるものである。更に、巻尺１０には、ＬＥＤ（Ｌｉｇｈｔ  Ｅｍｉｔｔｉｎｇ  Ｄｉｏｄｅ）による照明手段のほかに水準器が設けられており、長さを計測するのみならず複数の機能が付加されている。
【０００９】
筐体１１には、開口部１１ａが設けられている。この開口部１１ａから計測テープ１３が繰り出され又は引き込まれる。
【００１０】
スイッチ１２は、筐体１１の開口部１１ａ側の上部に配置されている。このスイッチ１２が図中矢印Ａで示す方向に押下されると、後述する駆動手段２２が計測テープ１３を開口部１１ａから繰り出す動作を行う。また、スイッチ１２が図中矢印Ｂで示す方向に押下されると、繰り出されている計測テープ１３を駆動手段２２が開口部１１ａに引き込む動作を行う。また、スイッチ１２の押下が解除されると、駆動手段２２が停止する。
このスイッチ１２としては、特に制限はなく、目的に応じて適宜選択することができ、例えば、押下される力の強弱により段階的に計測テープ１３を繰り出す又は引き込むスピードを変化させることができる。
【００１１】
計測テープ１３は、長さ目盛が付され、かつ、可撓性を有するテープ状のものであり、例えば、薄い金属板等により構成されている。巻尺１０が使用されていない場合、この計測テープ１３は、後述するリール２３に巻かれた状態で筐体１１の内部に収納される。
【００１２】
液晶表示手段１４は、右手で把持したときに視認しやすい筐体１１の正面に配置され、数値等を表示する液晶表示素子と、薄暗い所であっても液晶表示を読取可能にするために配置された発光素子とを備えている液晶表示装置である。また、この液晶表示手段１４には、計測値、後述する記憶値及び演算値の少なくともいずれかが表示され、数値キー１５、演算キー１６又は記憶キー１７が押下されたときには押下されたキーに応じた内容が表示される。
【００１３】
数値キー１５は、液晶表示手段１４の下方に配置され、後述する設定値等の数値を入力するときに押下される。また、この数値キー１５は、後述する駆動手段２２を動作させるための入力部としても用いられる。
演算キー１６は、数値キー１５の下方に配置され、計測値の演算を行うときに押下される。
記憶キー１７は、演算キー１６の近傍に配置され、計測値、あるいは演算キー１６を用いて演算した値（演算値）を後述する記憶手段２６に記憶させるときに押下される。
【００１４】
電源ボタン１８は、数値キー１５等が配置されている筐体１１の正面に配置され、巻尺１０の電源をＯＮ又はＯＦＦにするときに押下される。
【００１５】
ＬＥＤ照明ボタン１９は、電源ボタン１８の上方に配置され、ＬＥＤ照明２０をＯＮ又はＯＦＦにするときに押下される。
ＬＥＤ照明２０は、開口部１１ａが設けられた筐体１１の側面に固定され、ＬＥＤ照明ボタン１９が押下されてＯＮになったとき、計測テープ１３を繰り出す方向に光を照射し、薄暗い所でも開口部１１ａ近傍の目盛、あるいは計測箇所周辺を視認できるように配置されている。
【００１６】
水準器モードボタン２１は、ＬＥＤ照明ボタン１９の上方に配置され、水準器としての機能を作動させるときに押下される。この水準器モードボタン２１が押下されたとき、液晶表示手段１４には、使用者に水平か否かを判定させる図示しない画像が表示される。
なお、水準器としては、特に制限はなく、目的に応じて適宜選択することができ、図４に示すように、気泡の位置で水平か否かを判定させる水準器２９を筐体１１の上部に固定し、同時に計測値等も巻尺１０の上方から視認できるように液晶表示手段１４を配置することができる。
【００１７】
次に、本考案における巻尺の内部構造について説明する。
図２は、図１に示した巻尺の内部構成を示す概略正面図である。
図２に示す巻尺１０は、図１に示した筐体１１と、開口部１１ａと、スイッチ１２と、計測テープ１３と、ＬＥＤ照明２０とに加え、駆動手段としての駆動手段２２と、リール２３と、計測手段としての計測手段２４と、傾き検知手段２５と、乾電池２６とを備えている。図１に示した構成については同様であるため説明を省略し、駆動手段２２と、リール２３と、計測手段２４と、傾き検知手段２５と、乾電池２６とについて説明する。
【００１８】
駆動手段２２は、リール２３の近傍に配置され、計測テープ１３を開口部１１ａから繰り出す又は開口部１１ａに引き込む駆動を発生し、リール２３に伝達するものである。
この駆動手段２２は、モータ２２ａと、ギヤ２２ｂと、前述した数値キー１５とを有している。
モータ２２ａは、ギヤ２２ｂの近傍に配置され、乾電池２６から電力が供給されて回転力を発生させ、ギヤ２２ｂに伝達させる。
ギヤ２２ｂは、リール２３のギヤ２３ａと噛合する位置に配置され、モータ２２ａの回転力をリール２３に伝達させて、計測テープ１３を繰り出し又は引き込んでいる。
数値キー１５は、計測テープ１３を開口部１１ａから繰り出す長さの設定値が入力されるときに用いられる。この入力された設定値に応じて、駆動手段２２は、計測テープ１３を開口部１１ａから繰り出すようにしている。例えば、机又は設備等が所定の間隔で設置されているか否かを確認する場合、所定の間隔が設定値として入力され、その設定値に応じて駆動手段２２が計測テープ１３を繰り出すことにより、スイッチ１２を操作して所定の間隔に合わせる手間が発生することなく、容易に所定の間隔である計測テープ１３を繰り出すことができる。
【００１９】
リール２３は、筐体１１の内部に回転可能に設置されており、外周部にはギヤ２２ｂと噛合するギヤ２３ａを備えている。このリール２３は、ギヤ２３ａに伝達されたモータ２２ａの回転力により計測テープ１３を繰り出す又は引き込んで巻き取る動作を行う。
【００２０】
計測手段２４は、リール２３の外周部近傍に配置されており、リール２３の回転量に応じて計測テープ１３を繰り出した長さを計測する図示しない長さセンサが設けられ、その値を計測値として出力する。
【００２１】
傾き検知手段２５は、筐体１１の下部に配置され、例えば、筐体１１に固定されたジャイロセンサ等で構成されており、図１に示した水準器モードボタン２１が押下されたときに、筐体１１を載置した場所の傾きに関する情報を出力する。
【００２２】
乾電池２６は、筐体１１の側面に交換可能に配置され、巻尺１０の全体に電力を供給する。
【００２３】
次に、本考案における巻尺の構成を示すブロック図について説明する。
図３は、本考案の巻尺の構成を示すブロック図である。
図３に示す巻尺１０は、図１及び図２に示した構成の一部に加えて、記憶手段２６と、演算手段２７と、制御手段２８とを備えている。図１及び図２に示した構成の内容については同様であるため説明を省略し、記憶手段２６と、演算手段２７と、制御手段２８とについて説明する。
【００２４】
記憶手段２６は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備えており、記憶キー１７が押下されたとき、液晶表示手段１４に表示されている計測値又は演算値を記憶値としてＲＡＭ等に記憶する。また、記憶した記憶値は、図１で示したように液晶表示手段１４の上部に表示される。
なお、記憶手段２６は、巻尺１０全体の動作の制御及び処理を行うための制御プログラム（ソフトウェア）や制御データ等をＲＯＭ等に記憶し、制御プログラムの実行に伴って生成される各種情報を一時的にＲＡＭに記憶するものである。
【００２５】
演算手段２７は、押下された演算キー１６に応じて、記憶手段２６が記憶した記憶値に基づき演算をし、演算値を算出する。
【００２６】
制御手段２８は、巻尺１０に備えられている各手段等と接続されており、記憶手段２６に記憶された制御プログラムに基づいて巻尺１０全体の動作の制御及び処理を行う。
【００２７】
次に、本考案における巻尺の動作について説明する。
ここでは、計測テープ１３より長い被計測物を計測する場合であって２回に分けて計測をするときの巻尺１０の動作について、図１に基づきながら説明する。
【００２８】
まず、電源ボタン１８が押下され、巻尺１０の電源がＯＮにされる。
次に、スイッチ１２が図１中矢印Ａで示す方向に押下されると、モータ２２ａが回転しはじめ、その回転力がギヤ２２ｂを介してリール２３のギヤ２３ａに伝達する。リール２３が図１中時計回りに回転し、計測テープ１３が開口部１１ａから繰り出される。
【００２９】
１回目の計測を行うため、被計測物の先端と計測テープ１３の先端とを合わせ、計測テープ１３が所定の長さまで繰り出されたときにスイッチ１２の押下が使用者により解除される。その後、記憶キー１７が押下されると１回目の計測値を記憶し、記憶値として液晶表示手段１４の上部に表示する。
【００３０】
２回目の計測を行うため、計測できていない被計測物の残りの長さに、計測テープ１３の長さを合わせるように図中矢印Ａ又はＢで示す方向にスイッチ１２が押下される。液晶表示手段１４の下部に表示している計測値が使用者により確認された後、演算キー１６のうち「＋」キーが押下され、更に「＝」キーが押下されると、記憶値として記憶した１回目の計測値と、２回目の計測値とを加算した演算値が液晶表示手段１４に表示される。
【００３１】
使用者が液晶表示手段１４に表示された演算値を読取った後、使用者によりスイッチ１２が図中矢印Ｂで示す方向に押下されると、リール２３が図１中反時計回りに回転し、計測テープ１３が開口部１１ａに引き込まれて収納され、計測作業が完了する。
【００３２】
このように、本考案の巻尺は、計測手段から出力された計測値を記憶値として記憶し、その記憶値に基づき演算をし、演算値を算出するようにしたことにより、計測値を記載して計算する作業が不要となるため、計測作業を容易にし、より正確な計測結果を得ることができる。
【００３３】
なお、前記巻尺を用いて２回に分けて被計測物を計測する場合の説明をしたが、特に制限はなく、目的に応じて適宜選択することができ、例えば、２回に限らず複数回に分けて計測する場合であっても、算出した演算値をその都度記憶させることにより、複数の計測値を加算した演算値を算出することができる。
【００３４】
また、前記巻尺を用いて被計測物の長さを計測する場合の説明をしたが、特に制限はなく、目的に応じて適宜選択することができ、例えば、長方形に区切られた床面等の面積を算出する場合、一辺の長さを計測して記憶値として記憶させ、その一辺と直交する辺の長さの計測値と記憶値とを乗算することにより、その床面積を算出することができる。
【００３５】
更に、前記巻尺においては繰り出している分の計測テープの長さを計測値としたが、特に制限はなく、目的に応じて適宜選択することができる。例えば、壁から壁までの距離を計測する場合には、繰り出している分の計測テープの長さが計測値とすると巻尺自体が壁に当たり計測しにくいため、巻尺が壁に当たらないように壁に沿わしながら追加で繰り出した分の計測テープの長さを、表示されている計測値から減算して、液晶表示部に表示するようにすることができる。
【００３６】
以上、本考案の巻尺について詳細に説明したが、本考案は上記実施例に限定されず、本考案の要旨を逸脱しない範囲で種々変更しても差し支えない。例えば、薄暗い所でも計測作業を容易にするために計測テープの視認性を向上させることを目的として、計測テープに夜光塗料を塗布し、あるいは、計測テープの幅方向の両端に光ファイバーを配置し、その光ファイバーに所定の間隔でキズ等を加工して分散発光させて、計測テープの位置を把握しやすくすることができる。
【符号の説明】
【００３７】
１０      巻尺
１１      筐体
１２      スイッチ
１３      計測テープ
１４      液晶表示手段
１５      数値キー
１６      演算キー
１７      記憶キー
１８      電源ボタン
１９      ＬＥＤ照明ボタン
２０      ＬＥＤ照明
２１      水準器モードボタン
２２      駆動手段
２３      リール
２４      計測手段
２５      傾き検知手段
２６      記憶手段
２７      演算手段
２８      制御手段
２９      水準器
【図１】
0003194702.tif 000003
【図２】
0003194702.tif 000004
【図３】
0003194702.tif 000005
【図４】
0003194702.tif 000006